(57)【要約】  室内機は、開口部が形成されているパネルと、パネルの前面に配置されるグリルと、複数の端子台及び複数の基板ユニットが階層状に配置されている電気品箱とを備える。グリルを開けるとパネルの開口部が露出する。電気品箱は、パネルの開口部に対応する位置において、複数の端子台及び複数の基板ユニットが階層の方向が室内機の前後方向に延び、かつ、複数の基板ユニットのうち、室内機の設定作業を要する電子部品が搭載されている基板ユニットの基板表面、及び複数の端子台の配線接続部がパネルの開口部側を向くよう配置される。複数の基板ユニットの電子部品のうち、室内機の設置時、設定作業を要する電子部品と、複数の端子台の配線接続部うち、室内機の設置時、配線接続作業を要する配線接続部が、電気品箱をパネルの前記開口部を介して正面視したとき重ならないよう、複数の端子台と複数の基板ユニットが配置されている。【特許請求の範囲】
【請求項１】
開口部が形成されているパネルと、前記パネルの前面に配置されるグリルと、複数の端子台及び複数の基板ユニットが階層状に配置されている電気品箱とを備え、前記グリルを開けると前記パネルの前記開口部が露出するよう構成されている室内機であって、
前記電気品箱は、前記パネルの前記開口部に対応する位置において、前記複数の端子台及び前記複数の基板ユニットが、階層の方向が前記室内機の前後方向に延び、かつ、前記複数の基板ユニットのうち、前記室内機の設定作業を要する電子部品が搭載されている基板ユニットの基板表面、及び前記複数の端子台の配線接続部が前記パネルの前記開口部側を向くよう配置され、
前記複数の基板ユニットの電子部品のうち、前記室内機の設定作業を要する前記電子部品と、前記複数の端子台の配線接続部うち、前記室内機の配線接続作業を要する配線接続部が、前記電気品箱を前記パネルの前記開口部を介して正面視したとき重ならないよう、前記複数の端子台と前記複数の基板ユニットが配置されている室内機。
【請求項２】
前記複数の基板ユニットのうち、前記室内機の設定作業を要する前記電子部品が搭載されている第１基板ユニットは、前記複数の端子台のうちの１つの端子台において、前記室内機の前面側に、固定部材を介して取り付けられている請求項１に記載の室内機。
【請求項３】
前記固定部材を介して前記第１基板ユニットが取り付けられている前記端子台に設けられた配線接続部に印加される電圧のレベルは、前記複数の端子台の他の端子台の配線接続部に印加される電圧のレベルよりも低くなるよう構成されている請求項２に記載の室内機。
【請求項４】
前記複数の基板ユニットのうち、前記室内機の設定作業を要する前記電子部品が搭載されていない基板ユニットは、搭載されている電子部品が前記パネルの前記開口部から露出しないよう、配置されている請求項２又は３に記載の室内機。
【請求項５】
前記電気品箱の前記室内機の背面側に位置する側面に、前記複数の端子台の配線接続部に接続される配線を挿入するための挿入口が形成されており、
前記電気品箱は、前記挿入口から前記複数の端子台の配線接続部へ配線を導くケーブルガイドを有している請求項１〜４のいずれか一項に記載の室内機。
【請求項６】
室外機と、請求項１〜５のいずれか一項に記載の室内機とを備えている空気調和機。
【発明の詳細な説明】
【技術分野】
【０００１】
本発明は、電気品箱を有する室内機、及び室内機を備える空気調和機に関するものである。
【背景技術】
【０００２】
従来、空気調和機には、室内に設置される室内機と室外に設置される室外機とで構成されたものがある。室内機及び室外機には、それぞれ電気品箱が備えられている。これらの電気品箱には、各種電気部品及び回路基板等が収容されている。【０００３】
特許文献１には、インバータ装置を有する室外機が記載されている。特許文献１に記載のインバータ装置は、アクティブコンバータとインバータが実装された第１の基板、圧縮機を駆動する電動機の端子台とマイクロコンピュータ等が実装された第２の基板、及びインタフェイス用コネクタとホトカプラ等が実装された第３の基板を備えている。そして、インバータ装置のケース内において、ケースの底面から、第１の基板、第２の基板、第３の基板の順序で階層状に配置されている。このように、複数の基板を階層状に配置することにより、インバータ装置における部品実装面積の小型化が図られている。
【先行技術文献】
【特許文献】
【０００４】
【特許文献１】特開２００４−０５３０５０号公報
【発明の概要】
【発明が解決しようとする課題】
【０００５】
室内機の電気品箱においても、小スペース化を目的として複数の基板を階層状に配置することが考えられる。しかしながら、室内機を設置する際には、現地において、室内機の電気品箱に設けられている端子台の配線の接続、並びに基板に搭載されているダイヤル等によるスイッチ設定を行わなければならない。特許文献１に記載されているインバータ装置のように複数の基板が階層状に配置されていると、端子の配線接続及びスイッチの設定を実施するためには、上層側の基板を取り外さなければならない場合がある。すなわち、特許文献１に記載されている複数の基板の階層構造を室内機の電気品箱に適用すると、室内機の設置時における配設接続及び基板のスイッチ設定の作業性が悪いという問題がある。【０００６】
本発明は、上記のような課題を解決するためになされたものであり、小型化を図りつつ、設置時における端子台の配線接続及び基板のスイッチ設定の作業性がよい電気品箱を有する室内機、及びそのような室内機を備える空気調和機を提供することを目的とする。
【課題を解決するための手段】
【０００７】
本発明に係る室内機は、開口部が形成されているパネルと、前記パネルの前面に配置されるグリルと、複数の端子台及び複数の基板ユニットが階層状に配置されている電気品箱とを備え、前記グリルを開けると前記パネルの前記開口部が露出するよう構成されている室内機であって、前記電気品箱は、前記パネルの前記開口部に対応する位置において、前記複数の端子台及び前記複数の基板ユニットが、階層の方向が前記室内機の前後方向に延び、かつ、前記複数の基板ユニットのうち、前記室内機の設定作業を要する電子部品が搭載されている基板ユニットの基板表面、及び前記複数の端子台の配線接続部が前記パネルの前記開口部側を向くよう配置され、前記複数の基板ユニットの電子部品のうち、前記室内機の設定作業を要する前記電子部品と、前記複数の端子台の配線接続部うち、前記室内機の配線接続作業を要する配線接続部が、前記電気品箱を前記パネルの前記開口部を介して正面視したとき重ならないよう、前記複数の端子台と前記複数の基板ユニットが配置されているものである。【０００８】
本発明に係る空気調和機は、室外機と上述の室内機とを備えているものである。
【発明の効果】
【０００９】
本発明に係る室内機によると、電気品箱において複数の端子台及び複数の基板ユニットが階層状に配置されており、電気品箱の小型化が図られている。さらに、室内機の設置時、設定作業を要する電子部品と、配線接続作業を要する配線接続部が、電気品箱をパネルの開口部を介して正面視したとき重なっていない。従って、室内機の設置を行う作業員は、電気品箱の基板ユニット若しくは端子台を取り外すことなく、配線接続作業及び電子部品の設定作業を行うことができる。その結果、電気品箱の小型化を図りつつ、室内機の設置時における、端子台の配線接続の作業性、基板ユニットに搭載された電子部品の設定の作業性を向上させることができる。また、本発明に係る室内機を備える空気調和機においても、同様の効果が得られる。
【図面の簡単な説明】
【００１０】
【図１】本発明の実施の形態１における室内機の斜視図である。
【図２】グリル及びパネルを取り外した状態の室内機を示す斜視図である。
【図３】本発明の実施の形態１における電気品箱の斜視図である。
【図４】本発明の実施の形態１における電気品箱の一部の部材を取り外した状態を示す斜視図である。
【図５】本発明の実施の形態１における電気品箱の一部の部材を取り外した状態を示す斜視図である。
【図６】図４の電気品箱の一部を分解して示す斜視図である。
【図７】本発明の実施の形態１における電気品箱の一部の部材を取り外した状態を示す正面図である。
【図８】現地で設定作業が開始されるときの室内機の斜視図である。
【図９】図８の状態の室内機の右端部を拡大して示す図である。
【図１０】室内機を図９のＡ−Ａ線の位置で切断し、矢印の方向から内部を示す図である。
【図１１】現地での作業が行われた後の室内機の右端部を拡大して示す図である。
【図１２】室内機を図１１のＢ−Ｂ線の位置で切断し、矢印の方向から内部を示す図である。
【図１３】本発明の実施の形態２に係る空気調和機の構成例を示す図である。
【発明を実施するための形態】
【００１１】
以下、本発明における室内機及び空気調和機の実施の形態を図面に基づいて詳細に説明する。以下の図面において、同一の符号を付したものは、同一又はこれに相当するものであり、以下に記載する実施の形態の全文において共通することとする。そして、明細書全文に表わされている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。そして、図面では各構成部材の大きさの関係が実際のものとは異なる場合がある。
【００１２】
実施の形態１．
図１は、本発明の実施の形態１における室内機の斜視図である。室内機１００は、グリル１０と、パネル２０と、本体ユニット３０と、サービスパネル３１とを有している。サービスパネル３１は、本体ユニット３０の右端部の底面に設けられており、本体ユニット３０に対して着脱自在である。室内機１００の天面には吸込口１０１が形成されている。室内機１００の底面には吹出口１０２が形成され、風向板１０３が配設されている。図１において、Ｘ方向は室内機１００の左右方向であり、Ｙ方向は室内機１００の上下方向であり、Ｚ方向は室内機１００の前後方向である。Ｘ方向のプラス側を室内機１００の右側とし、Ｘ方向のマイナス側を室内機１００の左側とする。Ｙ方向のプラス側を室内機１００の上面側とし、Ｙ方向のマイナス側を室内機１００の底面側とする。Ｚ方向のプラス側を室内機１００の前面側とし、Ｚ方向のマイナス側を室内機１００の背面側とする。以降の説明に用いる図においてＸ方向、Ｙ方向、及びＺ方向が示されている場合、図１と同一の方向を示している。
【００１３】
図２は、グリル１０及びパネル２０を取り外した状態の室内機１００の斜視図である。本体ユニット３０には、室内熱交換器１１０と電気品箱４０が配設されている。室内機１００が設置されている室内の空気は図１に示す吸込口１０１から吸い込まれ、室内熱交換器１１０で冷媒と熱交換された後、図１に示す吹出口１０２から室内へ向けて吹き出される。吹出口１０２から吹き出される空気の向きは、風向板１０３が駆動されることにより制御される。電気品箱４０は、本体ユニット３０の右端部において、後述するパネル開口部に対応する位置に配置されている。
【００１４】
図３は、本発明の実施の形態１における電気品箱の斜視図である。図４及び図５は、本発明の実施の形態１における電気品箱の一部の部材を取り外した状態を示す斜視図である。電気品箱４０は、略矩形の板状の基部４１と、第１カバー４２と、第２カバー４３とを有している。基部４１に、後述する電気品が搭載されている。第１カバー４２及び第２カバー４３は、基部４１に搭載されている電気品を保護するための部材である。図４は、第１カバー４２と第２カバー４３を取り外した状態の電気品箱４０を示している。図５は、第１カバー４２を取り外した状態の電気品箱４０を示している。第１カバー４２は、電気品箱４０の基部４１の前面の左側の部分を構成している。第２カバー４３は、電気品箱４０の前面の右側の部分をカバーする前面カバー部４３Ａと、電気品箱４０の右側面をカバーする側面カバー部４３Ｂとを有している。第１カバー４２は、着脱自在である。電気品箱４０の基部４１の底面側には、ケーブルガイド４４が設けられている。ケーブルガイド４４の詳細については後述する。
【００１５】
電気品箱４０は複数の端子台と複数の基板ユニットを有している。すなわち、電気品箱４０は、第１端子台５１と、第２端子台５２と、第３端子台５３と、第１基板ユニット６１と、第２基板ユニット６２を有している。
【００１６】
第１端子台５１は、室外機と接続するための端子台である。第１端子台５１は配線接続部５１Ａを有し、配線接続部５１Ａは複数の端子を備えている。配線接続部５１Ａの端子には、室外機に配線される通信線が接続される。第２端子台５２は、電源端子台である。第２端子台５２は配線接続部５２Ａを有し、配線接続部５２Ａは複数の端子を備えている。配線接続部５２Ａの端子には、電源を供給する電源線が接続される。第３端子台５３は、リモコン端子台である。第３端子台５３は配線接続部５３Ａを有し、配線接続部５３Ａは複数の端子を備えている。配線接続部５３Ａの端子には、リモコンと通信するための配線が接続される。従って、第１端子台５１の配線接続部５１Ａに印加される電圧のレベルは、第２端子台５２の配線接続部５２Ａに印加される電圧のレベルよりも低い。配線接続部５１Ａへの通信線の接続作業、配線接続部５２Ａへの電源線の接続作業、及び配線接続部５３Ａへの配線の接続作業は、室内機１００の設置時、現地において、作業者により実施される。
【００１７】
第１基板ユニット６１は、アドレス基板である。基板６１Ａに、室内機１００のアドレスを設定するためのダイヤル６１Ｂが設けられている。本実施の形態１では、ダイヤル６１Ｂは、３個設けられている。ダイヤル６１Ｂを手動で回すことにより、アドレス基板のスイッチ設定が行われる。すなわち、第１基板ユニット６１に搭載された電子部品は、室内機１００の設置時、現地において、作業員が手動で設定作業をする必要のある電子部品である。
【００１８】
第２基板ユニット６２は、制御基板ユニットであり、基板にマイクロコンピュータ等の電子部品が搭載されている。第２基板ユニット６２の基板は、第２カバー４３の側面カバー部４３Ｂに沿って配置されている。第２基板ユニット６２の電子部品は、第２基板ユニット６２の基板において、基部４１側の辺部に沿って、実装されている。第２基板ユニット６２の電子部品は、室内機１００の設置時、現地において、作業員が設定作業をする必要のない電子部品である。尚、図４においては、電気品箱４０の内部構成を明示するため、第２基板ユニット６２の基板は省略されており、符号６２により示されているのは、当該基板に実装された電子部品である。
【００１９】
図６は、図４の電気品箱の一部を分解して示す斜視図である。第２基板ユニット６２は基部４１に取り付けられている。第１端子台５１、第２端子台５２、及び第３端子台５３は、第２基板ユニット６２に対して、基部４１の反対側に配置されている。第１基板ユニット６１は、第１端子台５１において、板状の固定部材７０を介して、第２基板ユニット６２の反対側に取り付けられている。このように、本実施の形態１の電気品箱４０では、第２基板ユニット６２、第１端子台５１、第２端子台５２、第３端子台５３、及び第１基板ユニット６１は、基部４１から第１カバー４２が取り付けられる側へ向かって階層状に配置されている。
【００２０】
そして、図２に示すように、電気品箱４０は、第１カバー４２及び第２カバー４３の前面カバー部４３Ａが室内機１００の前面側に向くよう、本体ユニット３０に配置されている。電気品箱４０が室内機１００に配置された状態において、第１端子台５１は、室内機の前後方向の第１層に位置している。第２端子台５２及び第３端子台５３、並びに第１基板ユニット６１は、第１端子台５１よりもＺ方向のプラス側、すなわち室内機１００の前後方向の第２層に位置している。第２基板ユニット６２の電子部品は、第１層の第１端子台５１よりもＺ方向のマイナス側に位置している。換言すると、第２端子台５２、第３端子台５３、及び第１基板ユニット６１の層と、第１端子台５１の層と、第２基板ユニット６２の電子部品が位置する領域とが、Ｚ方向のプラス側からマイナス側に向かって階層状に位置している。
【００２１】
図５に示すように、第２カバー４３の前面カバー部４３Ａには、切欠き４３Ｃが形成されている。第２カバー４３を取り付けた状態で、第１カバー４２を取り外すと、切欠き４３Ｃにおいて第１基板ユニット６１のダイヤル６１Ｂが露出する。
【００２２】
図７は、本発明の実施の形態１における電気品箱の一部の部材を取り外した状態を示す正面図である。図７は、第１カバー４２と第２カバー４３を取り外した状態の電気品箱４０を示している。第１端子台５１は配線接続部５１Ａが第１カバー４２及び第２カバー４３の前面カバー部４３Ａが取り付けられる側を向くよう配置されている。第２端子台５２は配線接続部５２Ａが第１カバー４２及び第２カバー４３の前面カバー部４３Ａが取り付けられる側を向くよう配置されている。第３端子台５３は配線接続部５３Ａが第１カバー４２及び第２カバー４３の前面カバー部４３Ａが取り付けられる側を向くよう配置されている。第１基板ユニット６１は基板６１Ａの基板表面が第１カバー４２及び第２カバー４３の前面カバー部４３Ａが取り付けられる側を向くよう配置されている。さらに、配線接続部５１Ａ、配線接続部５２Ａ、配線接続部５３Ａ、及びダイヤル６１Ｂが第１カバー４２及び前面カバー部４３Ａの側から見たとき重ならないよう、第１端子台５１、第２端子台５２、第３端子台５３、及び第１基板ユニット６１は配置されている。
【００２３】
室内機１００を設置するときの、現地で作業員による設定作業について説明する。図８は、現地で設定作業が開始されるときの室内機１００の斜視図である。図９は、図８の状態の室内機１００の右端部を拡大して示す図である。図１０は、室内機１００を図９のＡ−Ａ線の位置で切断し、矢印の方向から内部を示す図である。また、図１１は、現地での作業が行われた後の室内機１００の右端部を拡大して示す図である。図１２は、室内機１００を図１１のＢ−Ｂ線の位置で切断し、矢印の方向から内部を示す図である。尚、図１２において、電気品箱４０の内部の状態を明示するため、ケーブル及び配線は黒色に塗りつぶされた状態で示されている。
【００２４】
グリル１０が開けられ、サービスパネル３１が取り外される。図８に示すように、パネル２０の右端部にはパネル開口部２０Ａが形成されている。グリル１０が開けられると、パネル２０のパネル開口部２０Ａが露出する。さらに、電気品箱４０の第１カバー４２が取り外される。上述のように、電気品箱４０はパネル開口部２０Ａに対応する位置に配置されている。従って、第１カバー４２を取り外されると、電気品箱４０の内部が図９に示すように、パネル開口部２０Ａを介して露出する。
【００２５】
図７を用いて説明したように、第１端子台５１は配線接続部５１Ａが第１カバー４２及び第２カバー４３の前面カバー部４３Ａが取り付けられる側を向くよう配置されている。第２端子台５２は配線接続部５２Ａが第１カバー４２及び第２カバー４３の前面カバー部４３Ａが取り付けられる側を向くよう配置されている。第３端子台５３は配線接続部５３Ａが第１カバー４２及び第２カバー４３の前面カバー部４３Ａが取り付けられる側を向くよう配置されている。第１基板ユニット６１は基板６１Ａの基板表面が第１カバー４２及び第２カバー４３の前面カバー部４３Ａが取り付けられる側を向くよう配置されている。従って、図９に示されるように、配線接続部５１Ａ、配線接続部５２Ａ、及び配線接続部５３Ａ、並びにダイヤル６１Ｂは、パネル開口部２０Ａの側を向いている。
【００２６】
さらに、図７を用いて説明したように、配線接続部５１Ａ、配線接続部５２Ａ、及び配線接続部５３Ａ、並びにダイヤル６１Ｂは、第１カバー４２及び第２カバー４３の前面カバー部４３Ａの側から見たとき、重ならないよう配置されている。従って、図９に示されるように、配線接続部５１Ａ、配線接続部５２Ａ、及び配線接続部５３Ａ、並びにダイヤル６１Ｂは、パネル開口部２０Ａを介して正面視したとき、他の部材に遮られることなく、視認される。
【００２７】
また、上述のように、第２基板ユニット６２の基板は、電気品箱４０において、第２カバー４３の側面カバー部４３Ｂに沿って配置されている。従って、第２基板ユニット６２の基板は、第１基板ユニット６１、第１端子台５１、第２端子台５２、及び第３端子台５３よりも、パネル開口部２０Ａから離れた位置に位置している。そして、第２基板ユニット６２の電子部品は、第１端子台５１よりもＺ方向のマイナス側に位置している。このように、第２基板ユニット６２は、搭載されている電子部品がパネル開口部２０Ａから露出しないよう、配置されている。
【００２８】
電気品箱４０の背面側の下部に、挿入口８０が形成されている。挿入口８０は、電気品箱４０の下部において、室内機１００の背面側、すなわちＺ方向のマイナス側を向いて開口している。挿入口８０は、サービスパネル３１を取り外すことにより露出する。ケーブルガイド４４は、挿入口８０の側の端部４４Ａから、室内機１００の前面側の端部４４Ｂへ向けて、Ｚ方向プラス側に延びる複数の面とＹ方向プラス側に延びる複数の面とが組み合わされた形状を呈している。
【００２９】
作業員は、第１端子台５１の配線接続部５１Ａに接続する配線が束ねられたケーブルを、挿入口８０から挿入する。作業員は、第２端子台５２の配線接続部５２Ａに接続する配線が束ねられたケーブル、及び第３端子台５３の配線接続部５３Ａに接続する配線が束ねられたケーブルについても、同様の作業を行う。そして、作業員は、これらのケーブルを室内機１００の前面側、すなわち、Ｚ方向のプラス側へ向けて押し込む。そうすると、これらのケーブルはケーブルガイド４４に導かれ、先端部分がパネル開口部２０Ａに到達する。
【００３０】
作業員は、パネル開口部２０Ａを介して、第１端子台５１の配線接続部５１Ａ、第２端子台５２の配線接続部５２Ａ、及び第３端子台５３の配線接続部５３Ａに、それぞれ対応する配線を接続する作業を実行する。その結果、図１１に示すように、配線接続部５１Ａには、ケーブル１５１に束ねられている配線が接続され、配線接続部５２Ａには、ケーブル１５２に束ねられている配線が接続され、配線接続部５２Ａには、ケーブル１５３に束ねられている配線が接続される。上述のように、ケーブル１５１は、通信ケーブルであり、ケーブル１５２は、電源ゲーブルであり、ケーブル１５３は、リモコンケーブルである。このように、本実施の形態１では、パネル開口部２０Ａは、端子台接続空間として作用している。
【００３１】
また、作業員は、パネル開口部２０Ａを介して、第１基板ユニット６１のダイヤル６１Ｂを適宜操作してスイッチ設定作業を行い、室内機１００のアドレス設定を行う。
【００３２】
本実施の形態１では、第１端子台５１、第２端子台５２、及び第３端子台５３と、第１基板ユニット６１は、階層状に配置されている。そして、配線接続部５１Ａ、配線接続部５２Ａ、及び配線接続部５３Ａ、並びにダイヤル６１Ｂは、パネル開口部２０Ａを介して正面視したとき、重ならないように配置されている。従って、配線接続部５１Ａ、配線接続部５２Ａ、及び配線接続部５３Ａのそれぞれの配線接続作業を行うとき、作業員は、他の端子台及び第１基板ユニット６１を取り外す必要がない。また、第１基板ユニット６１のダイヤル６１Ｂを操作するときも、作業員は、第１端子台５１、第２端子台５２、及び第３端子台５３を取り外す必要がない。従って、本実施の形態１によれば、電気品箱４０の小型化を実現しつつ、室内機１００の設置時における、配線接続の作業性及びスイッチ設定の作業性を向上させることができる。
【００３３】
第２カバー４３の前面カバー部４３Ａには、切欠き４３Ｃが形成されており、第１カバー４２を取り外すと、第１基板ユニット６１のダイヤル６１Ｂが露出する。従って、作業員は、第２カバー４３を取り外すことなく、パネル開口部２０Ａを介して、ダイヤル６１Ｂを操作することができる。すなわち、本実施の形態１によれば、室内機１００の設置時における、スイッチ設定の作業性がより向上する。
【００３４】
第１基板ユニット６１は、第１端子台５１の前面側に固定部材７０により固定されている。この構成により、第１基板ユニット６１と第１端子台５１との間には、固定部材７０の板厚分の空間が形成されている。従って、もし第１端子台５１の配線接続部５１Ａに配線を接続する作業を先に実施した後でも、作業員によるダイヤル６１Ｂの設定作業が、配線若しくはケーブルにより阻害されることがない。すなわち、本実施の形態１によれば、室内機１００の設置時における、スイッチ設定作業空間が確保されており、スイッチ設定の作業性をより向上させることができる。
【００３５】
また、第２基板ユニット６２は、搭載されている電子部品がパネル開口部２０Ａから露出しないよう、配置されている。換言すると、本実施の形態１では、第１カバー４２を取り外したときパネル開口部２０Ａを介して露出するのは、室内機１００の設置時における現地での上述の作業が必要な構成要素のみとなるよう、電気品箱４０の内部は構成されている。従って、必要最小限のパネル開口部２０Ａのスペースで、作業性の向上が図られる。
【００３６】
また、ケーブルガイド４４により、作業員は上述のケーブル１５１の端部、ケーブル１５２の端部、及びケーブル１５３の端部を、パネル開口部２０Ａを介して操作できる領域に容易に位置づけることができる。導くことができる。本実施の形態１によれば、室内機１００の設置時における、配線接続の作業性をより向上させることができる。
【００３７】
また、第１基板ユニット６１のＺ方向マイナス側に位置する第１端子台５１の配線接続部５１Ａに接続されるのは、室外機と接続される通信線である。従って、配線接続部５１Ａの電圧レベルは、電源線が接続される第２端子台５２の配線接続部５２Ａに比べ低い。電圧レベルが低い。このように、本実施の形態１では、第１基板ユニット６１の下方に低電圧の端子台を配置しているため、電気品箱４０及び室内機１００の電気安全性を高めることができる。
【００３８】
尚、本実施の形態１では、電気品箱４０内に基板ユニットが２個、並びに端子台が３個、収容されているが、これに限るものではない。
【００３９】
実施の形態２．
図１３は、本発明の実施の形態２に係る空気調和機の構成例を示す図である。本実施の形態２では、空気調和機１を冷凍サイクル装置の例として示している。図１３において、図１〜図１２を用いて実施の形態１で説明した構成要素については、同様の動作を行うものとする。空気調和機１は、室外機２００と、実施の形態１において説明した室内機１００とを備えている。室外機２００と室内機１００は、ガス冷媒配管３００と液冷媒配管４００により配管接続されている。室外機２００は、圧縮機２１０と、四方弁２２０と、室外熱交換器２３０と、膨張弁２４０を有している。
【００４０】
圧縮機２１０は、吸入した冷媒を圧縮して吐出する。圧縮機２１０は、例えばインバータ回路等により、運転周波数を任意に変化させることにより、圧縮機２１０の容量、すなわち単位時間あたりの冷媒を送り出す量を変化させるものである。四方弁２２０は、冷房運転時と暖房運転時とによって冷媒の流れを切り換える弁である。図１３において、実線の矢印は冷房運転のときの冷媒の流れを示し、破線の矢印は暖房運転のときの冷媒の流れを示している。
【００４１】
本実施の形態２における室外熱交換器２３０は、冷媒と室外の空気との熱交換を行う。室外熱交換器２３０は、暖房運転時においては蒸発器として機能し、冷媒を蒸発させ、気化させる。また、室外熱交換器２３０は、冷房運転時においては凝縮器として機能し、冷媒を凝縮して液化させる。
【００４２】
膨張弁２４０は冷媒を減圧して膨張させる。膨張弁２４０を、例えば電子式膨張弁で構成した場合には、不図示の制御装置の指示に基づいて膨張弁２４０の開度調整を行う。室内熱交換器１１０は、空調対象となる空気と冷媒との熱交換を行う。室内熱交換器１１０は、暖房運転時においては凝縮器として機能し、冷媒を凝縮して液化させる。また、室内熱交換器１１０は、冷房運転時においては蒸発器として機能し、冷媒を蒸発させ、気化させる。
【００４３】
以上のように、空気調和機１を構成することで、室外機２００の四方弁２２０により冷媒の流れを切り換えることで、暖房運転及び冷房運転を実現することができる。
【００４４】
本実施の形態２によれば、電気品箱４０の小型化を図りつつ、現地での設置時における配線作業及び基板のスイッチ設定の作業性のよい室内機１００を備えた空気調和機１が得られる。
【符号の説明】
【００４５】
１  空気調和機、１０  グリル、２０  パネル、２０Ａ  パネル開口部、３０  本体ユニット、３１  サービスパネル、４０  電気品箱、４１  基部、４２  第１カバー、４３  第２カバー、４３Ａ  前面カバー部、４３Ｂ  側面カバー部、４３Ｃ  切欠き、４４  ケーブルガイド、４４Ａ  端部、４４Ｂ  端部、５１  第１端子台、５１Ａ  配線接続部、５２  第２端子台、５２Ａ  配線接続部、５３  第３端子台、５３Ａ  配線接続部、６１  第１基板ユニット、６１Ａ  基板、６１Ｂ  ダイヤル、６２  第２基板ユニット、７０  固定部材、８０  挿入口、１００  室内機、１０１  吸込口、１０２  吹出口、１０３  風向板、１１０  室内熱交換器、１５１  ケーブル、１５２  ケーブル、１５３  ケーブル、２００  室外機、２１０  圧縮機、２２０  四方弁、２３０  室外熱交換器、２４０  膨張弁、３００  ガス冷媒配管、４００  液冷媒配管。
【図１】
2019155573.tif 000002
【図２】
2019155573.tif 000003
【図３】
2019155573.tif 000004
【図４】
2019155573.tif 000005
【図５】
2019155573.tif 000006
【図６】
2019155573.tif 000007
【図７】
2019155573.tif 000008
【図８】
2019155573.tif 000009
【図９】
2019155573.tif 000010
【図１０】
2019155573.tif 000011
【図１１】
2019155573.tif 000012
【図１２】
2019155573.tif 000013
【図１３】
2019155573.tif 000014
【手続補正書】
【提出日】令和2年5月12日(2020.5.12)
【手続補正１】
【補正対象書類名】明細書
【補正対象項目名】０００７
【補正方法】変更
【補正の内容】
【０００７】
本発明に係る室内機は、開口部が形成されているパネルと、前記パネルの前面に配置されるグリルと、複数の端子台及び複数の基板ユニットが階層状に配置されている電気品箱とを備え、前記グリルを開けると前記パネルの前記開口部が露出するよう構成されている室内機であって、前記電気品箱は、前記パネルの前記開口部に対応する位置において、前記複数の端子台及び前記複数の基板ユニットが、階層の方向が前記室内機の前後方向に延び、かつ、前記複数の基板ユニットのうち、前記室内機の設定作業を要する電子部品が搭載されている基板ユニットの基板表面、及び前記複数の端子台の配線接続部が前記パネルの前記開口部側を向くよう配置され、前記複数の基板ユニットの電子部品のうち、前記室内機の設定作業を要する前記電子部品と、前記複数の端子台の配線接続部うち、前記室内機の配線接続作業を要する配線接続部が、階層状に位置し、かつ、前記電気品箱を前記パネルの前記開口部を介して正面視したとき重ならないよう、前記複数の端子台と前記複数の基板ユニットが配置されているものである。
【手続補正２】
【補正対象書類名】特許請求の範囲
【補正対象項目名】全文
【補正方法】変更
【補正の内容】
【特許請求の範囲】
【請求項１】
開口部が形成されているパネルと、前記パネルの前面に配置されるグリルと、複数の端子台及び複数の基板ユニットが階層状に配置されている電気品箱とを備え、前記グリルを開けると前記パネルの前記開口部が露出するよう構成されている室内機であって、
前記電気品箱は、前記パネルの前記開口部に対応する位置において、前記複数の端子台及び前記複数の基板ユニットが、階層の方向が前記室内機の前後方向に延び、かつ、前記複数の基板ユニットのうち、前記室内機の設定作業を要する電子部品が搭載されている基板ユニットの基板表面、及び前記複数の端子台の配線接続部が前記パネルの前記開口部側を向くよう配置され、
前記複数の基板ユニットの電子部品のうち、前記室内機の設定作業を要する前記電子部品と、前記複数の端子台の配線接続部うち、前記室内機の配線接続作業を要する配線接続部が、階層状に位置し、かつ、前記電気品箱を前記パネルの前記開口部を介して正面視したとき重ならないよう、前記複数の端子台と前記複数の基板ユニットが配置されている室内機。
【請求項２】
前記複数の基板ユニットのうち、前記室内機の設定作業を要する前記電子部品が搭載されている第１基板ユニットは、前記複数の端子台のうちの１つの端子台において、前記室内機の前面側に、固定部材を介して取り付けられている請求項１に記載の室内機。
【請求項３】
前記固定部材を介して前記第１基板ユニットが取り付けられている前記端子台に設けられた配線接続部に印加される電圧のレベルは、前記複数の端子台の他の端子台の配線接続部に印加される電圧のレベルよりも低くなるよう構成されている請求項２に記載の室内機。
【請求項４】
前記複数の基板ユニットのうち、前記室内機の設定作業を要する前記電子部品が搭載されていない基板ユニットは、搭載されている電子部品が前記パネルの前記開口部から露出しないよう、配置されている請求項２又は３に記載の室内機。
【請求項５】
前記電気品箱の前記室内機の背面側に位置する側面に、前記複数の端子台の配線接続部に接続される配線を挿入するための挿入口が形成されており、
前記電気品箱は、前記挿入口から前記複数の端子台の配線接続部へ配線を導くケーブルガイドを有している請求項１〜４のいずれか一項に記載の室内機。
【請求項６】
室外機と、請求項１〜５のいずれか一項に記載の室内機とを備えている空気調和機。
【国際調査報告】
2019155573.tif 000015
2019155573.tif 000016
2019155573.tif 000017
2019155573.tif 000018